(57)【要約】【課題】  対象外の通信線に悪影響を与えることなく、コネクタを素早く抜き差しすることが可能なコネクタ挿抜具を提供する。【解決手段】  機器３００のポート２００に装着されるコネクタ１００と接触可能な第１の挟持部２ａを有する第１のアーム２と、第１のアーム２に揺動可能に連結され、第１の挟持部２ａとの協働によりコネクタ１００を把持可能な第２の挟持部３ａを有する第２のアーム３と、ポート２００の外面と嵌合可能なガイド部１０ｄを有し、第１のアーム２と第２のアーム３とをコネクタ１００の抜き差し方向に移動可能に保持するケース１０と、第１のアーム２と第２のアーム３をケース１０のガイド部１０ｄ側へ付勢する付勢用バネ５と、を備えた。【選択図】  図１
2011141342.tif 000002
【特許請求の範囲】
【請求項１】
機器のポートに装着されるコネクタと接触可能な第１の挟持部を有する第１のアームと、
前記第１のアームに揺動可能に連結され、前記第１の挟持部との協働により前記コネクタを把持可能な第２の挟持部を有する第２のアームと、
前記ポートの外面と嵌合可能なガイド部を有し、前記第１のアームと前記第２のアームとを前記コネクタを挿抜する方向に移動可能に保持するケースと、
前記第１のアームと前記第２のアームを前記ケースの前記ガイド部側へ付勢する付勢手段と、
を備えたことを特徴とするコネクタ挿抜具。
【請求項２】
前記第１の挟持部と前記第２の挟持部とを互いに接近させる方向に移動させる挟持手段を備えたことを特徴とする請求項１に記載のコネクタ挿抜具。
【請求項３】
前記第１のアームと前記第２のアームに、操作レバーをそれぞれ設けたことを特徴とする請求項１または２に記載のコネクタ挿抜具。
【請求項４】
前記ケース側に、前記第１のアームと前記第２のアームに対する前記付勢手段の連動と非連動とを切替える付勢切替機構部が設けられていることを特徴とする請求項１ないし３のいずれか１項に記載のコネクタ挿抜具。
【請求項５】
前記第１のアームと前記第２のアームは、連結軸を介して互いに揺動可能に連結されており、前記連結軸の両端部は前記ケースに形成されたガイド孔に移動可能に嵌め込まれていることを特徴とする請求項１ないし４のいずれか１項に記載のコネクタ挿抜具。
【発明の詳細な説明】
【技術分野】
【０００１】
この発明は、通信線用のコネクタを通信機器のポートに対して抜き差しするためのコネクタ挿抜具に関する。
【背景技術】
【０００２】
情報通信システムにおいては、光ファイバーなどの通信線同士を接続するために、通信線用コネクタが用いられる。コネクタは、通信機器のポートに対して抜き差し可能に装着されている。情報通信システムがより大規模化するに伴い、使用する通信回線数が増加し、通信機器のポート近傍には通信線が密集している。
【０００３】
情報通信システムの点検作業においては、対象の通信回線を確実に選択するため、一度コネクタを半分だけポートから引き抜き、すぐにそのコネクタを元の位置に戻す回線瞬断確認を行うことで、引き抜く線が対象回線であるかを把握している。
【０００４】
情報通信システムの点検技術に関し、光コネクタの抜き去り作業性を高める光コネクタ挿抜具が知られている（例えば、特許文献１参照。）。この光コネクタ挿抜具は、光コネクタが収容されるケースを棒状の操作部材を用いて引張ることにより、光コネクタの引抜きが可能となっている。
【先行技術文献】
【特許文献】
【０００５】
【特許文献１】特開２００５−６２３９３号公報
【発明の概要】
【発明が解決しようとする課題】
【０００６】
しかし、通信回線の瞬断確認はコネクタを半分抜いた後、瞬時に元の位置に戻す必要があり、コネクタを素早く抜き差ししなければならないが、コネクタが密集したなかで素早く抜き差しすると、他のコネクタコードに手や腕が当たり、コードの曲げ変形により対象外の回線が瞬断するおそれがある。また、特許文献１の光コネクタ挿抜具では、手の動きのみでコネクタを抜き差しすることしかできないため、上述と同様の問題が生じ、通信線が密集した箇所では使うことができない。
【０００７】
そこで本発明は、対象外の通信線に悪影響を与えることなく、コネクタを通信機器のポートに対して素早く抜き差しすることが可能なコネクタ挿抜具を提供することを目的とする。
【課題を解決するための手段】
【０００８】
上記目的を達成するために請求項１に記載の発明は、機器のポートに装着されるコネクタと接触可能な第１の挟持部を有する第１のアームと、前記第１のアームに揺動可能に連結され、前記第１の挟持部との協働により前記コネクタを把持可能な第２の挟持部を有する第２のアームと、前記ポートの外面と嵌合可能なガイド部を有し、前記第１のアームと前記第２のアームとを前記コネクタを挿抜する方向に移動可能に保持するケースと、前記第１のアームと前記第２のアームを前記ケースの前記ガイド部側へ付勢する付勢手段と、を備えたことを特徴とするコネクタ挿抜具である。
【０００９】
この発明によれば、ケースのガイド部をポートの外面と嵌合させ、第１の挟持部と第２の挟持部とでコネクタを挟持した状態で、第１のアームと第２のアームとをコネクタの抜き取り方向へ手で移動させ、コネクタをポートから一時的に切り離す。その直後、第１のアームと第２のアームから手を離すことにより、第１のアームと第２のアームが付勢手段によってガイド側に瞬時に移動し、コネクタをポートに素早く挿し込むことが可能となる。
【００１０】
請求項２に記載の発明は、請求項１に記載のコネクタ挿抜具において、前記第１の挟持部と前記第２の挟持部とを互いに接近させる方向に移動させる挟持手段を備えたことを特徴としている。
【００１１】
請求項３に記載の発明は、請求項１または２に記載のコネクタ挿抜具において、前記第１のアームと前記第２のアームに、操作レバーをそれぞれ設けたことを特徴としている。
【００１２】
請求項４に記載の発明は、請求項１ないし３のいずれか１項に記載のコネクタ挿抜具において、前記ケース側に、前記第１のアームと前記第２のアームに対する前記付勢手段の連動と非連動とを切替える付勢切替機構部が設けられていることを特徴としている。
【００１３】
請求項５に記載の発明は、請求項１ないし４のいずれか１項に記載のコネクタ挿抜具において、前記第１のアームと前記第２のアームは、連結軸を介して互いに揺動可能に連結されており、前記連結軸の両端部は前記ケースに形成されたガイド孔に移動可能に嵌め込まれていることを特徴としている。
【発明の効果】
【００１４】
請求項１に記載の発明によれば、コネクタを把持する第１のアームと第２のアームを付勢手段によってケースのガイド部側に付勢するようにしているので、一旦ポートから引抜いたコネクタをポートに素早く挿し込むことができ、コネクタが密集して装着される場合であっても、対象外の通信線に悪影響を与えることなく、通信回線の瞬断確認作業を行うことができる。これにより、従来生じていたコードが曲げ変形することを回避でき、対象外の回線が瞬断するという問題を解消することができる。
【００１５】
請求項２に記載の発明によれば、第１の挟持部と第２の挟持部とを互いに接近させる方向に移動させる挟持手段を備えているので、第１のアームと第２のアームを手で操作することなくコネクタを挟持することができ、コネクタの回線瞬断確認作業が容易となる。
【００１６】
請求項３に記載の発明によれば、第１のアームと第２のアームにそれぞれ操作レバーを設けることで、各アームを直接つかんで操作することに比べて、各アームの操作が容易になる。
【００１７】
請求項４に記載の発明によれば、ケースに第１のアームおよび第２のアームと付勢手段との連動と非連動とを切替える付勢切替機構部を設けているので、コネクタをポートから引抜く際は付勢手段による付勢力が作用しなくなり、コネクタをポートから引き抜く作業が容易となる。
【００１８】
請求項５に記載の発明によれば、第１のアームと第２のアームとを連結する連結軸の両端部をケースに形成されたガイド孔に移動可能に嵌め込むようにしているので、第１のアームと第２のアームにおけるコネクタを抜き差しする方向の動きを最小限とすることができ、より迅速な回線瞬断確認作業が可能となる。
【図面の簡単な説明】
【００１９】
【図１】本発明の実施の形態に係わるコネクタ挿抜具を示す分解斜視図である。
【図２】図１のコネクタ挿抜具におけるケースの斜視図である。
【図３】図１のコネクタ挿抜具によるコネクタの挟持直前の状態を示す透視平面図である。
【図４】図１のコネクタ挿抜具によるコネクタの挟持状態を示す透視平面図である。
【図５】図４のコネクタ挿抜具の側面図である。
【図６】図４のコネクタ挿抜具における付勢切替機構部の透視拡大斜視図である。
【図７】図１のコネクタ挿抜具による回線瞬断確認作業の状態を示す平面図である。
【図８】図６の付勢切替機構部の動きを示す透視拡大斜視図である。
【図９】図５に対して、付勢切替機構部を９０度回転させた状態のコネクタ挿抜具の側面図である。
【図１０】図９の付勢切替機構部の動きを示す拡大斜視図である。
【図１１】図１のコネクタ挿抜具が適用される通信機器の背面図である。
【発明を実施するための形態】
【００２０】
次に、この発明の実施の形態について、図面を用いて詳しく説明する。
【００２１】
図１ないし図１１は、この実施の形態を示している。図１１は、情報通信システムを構成する通信機器３００と通信線１００ａとの接続状態を示している。通信線１００ａのコネクタ１００は、通信機器３００のポート２００に装着されている。情報通信システムがより大規模化するに伴い、使用する通信回線数が増加し、通信機器３００のポート２００近傍には通信線１００ａが密集している。この実施の形態に係るコネクタ挿抜具１は、図１および図２に示すように、主として、第１のアーム２と、第２のアーム３と、ケース１０と、挟持用バネ（挟持手段）４と、付勢用バネ（付勢手段）５と、を備えている。
【００２２】
第１のアーム２は、棒状（平板状）の第１の挟持部２ａおよび第１の操作部２ｃと、第１の挟持部２ａと第１の操作部２ｃとを段違いに平行に連結する第１の交差部２ｂとを有している。第１の挟持部２ａは、コネクタ１００を装着する方向先端に位置し、コネクタ１００を挟持した際にコネクタ１００と密着するように、コネクタ１００の形状に沿って挟持面が形成され、さらに、コネクタ１００を挟持した際にコネクタ１００の通信線１００ａ側の端部に当接する突起が形成されている。また、第１の操作部２ｃには、第１のアーム２を開閉操作するための操作レバー２ｄが設けられ、この操作レバー２ｄには、指を挿入できる指挿入部２ｄ１が形成されている。
【００２３】
第２のアーム３は、第１のアーム２と同等の構成であり、その第２の挟持部３ａが第１の挟持部２ａと対向するように配設されている。そして、第１の交差部２ｂと第２の挟持部３ａとが重なった部位に連結軸７が装着され、この連結軸７を中心にして、第１のアーム２と第２のアーム３とが揺動可能となっている。これにより、図４に示すように、第１の挟持部２ａと第２の挟持部３ａとが協働して、コネクタ１００を挟持するようになっている。
【００２４】
ケース１０は、図２に示すように、一部が切り欠かれた略箱型で、上面部１０ｃおよび底面部１０ｆ１と、その両側に位置する側面部１０ｅとを備え、挟持部２ａ、３ａ側には、ポート２００の外面と嵌合可能なガイド部１０ｄが形成されている。このガイド部１０ｄは、ポート２００の外面に嵌合させた状態で、コネクタ１００を挟持した第１の挟持部２ａと第２の挟持部３ａとが移動可能なように、その長さＤ（図５参照）が設定されている。
【００２５】
また、底面部１０ｆ１には、通信線１００ａを挿入するための挿入孔１０ｆが形成され、上面部１０ｃおよび底面部１０ｆ１の略中央部には、ケース１０の長手方向に延びる長孔状のガイド孔１０ｂが、対向して形成されている。このガイド孔１０ｂに、連結軸７の両端部が挿入、案内され、第１のアーム２と第２のアーム３とが、ケース１０の長手方向（図３に示すＦ方向）に移動可能となっている。そして、ガイド孔１０ｂの長さ（最前部１０ｂ１から最後部１０ｂ２までの距離）は、後述する回線瞬断確認、つまりコネクタ１００の抜き差しに要するストロークが得られるように設定されている。
【００２６】
上面部１０ｃの操作部２ｃ、３ｃ側には、上面部１０ｃの板厚分だけ高くなった段差部１０ｃ１が形成され、この段差部１０ｃ１の端部には、段差部１０ｃ１に対して垂直な壁面部１０ｃ２が形成されている。この壁面部１０ｃ２には、アーム２、３側に向かう回転軸１０ａが配設され、この回転軸１０ａに、後述する付勢切替機構部６が回転自在に装着されている。また、両側面部１０ｅには、ケース１０の長手方向に延びる空洞部１０ｅ１が形成され、この空洞部１０ｅ１の長さは、アーム２、３の先端から交差部２ｂ、３ｂ点までよりも、やや長く設定されている。
【００２７】
挟持用バネ４は、圧縮コイルスプリングで構成され、第１の操作部２ｃと第２の操作部３ｃとを連結するように配設され、この挟持用バネ４により、第１の挟持部２ａと第２の挟持部３ａとが互いに接近するようになっている。
【００２８】
付勢用バネ５は、圧縮コイルスプリングで構成され、アーム２、３をケース１０のガイド部１０ｄ側へ付勢するものであり、６個の付勢用バネ５が、付勢切替機構部６の押圧部６ｂに、それぞれ３個内蔵されている。この付勢切替機構部６は、アーム２、３に対する付勢用バネ５の連動と非連動とを切替えるものであり、支持部６ｃと、その両側に位置する押圧部６ｂとから構成されている。支持部６ｃには、軸孔である回転部６ａが形成され、この回転部６ａにケース１０の回転軸１０ａが挿入され、回転軸１０ａを軸にして付勢切替機構部６が回転自在となっている。また、押圧部６ｂは、内部が空洞となっており、その内部に３個の付勢用バネ５が配設され、付勢用バネ５のアーム２、３側の端部が、アーム２、３の後端部２ｃ１、３ｃ１に対向するようになっている。また、押圧部６ｂの空洞は、アーム２、３の後端部２ｃ１、３ｃ１よりも大きく、図８に示すように、アーム２、３の後端部２ｃ１、３ｃ１が押圧部６ｂ内に挿入可能となっている。
【００２９】
そして、上記のようなアーム２、３がケース１０内に配設され、ガイド孔１０ｂから突出した連結軸７の両端部にストッパ８が装着され（溝部８ａに挿入され）、さらに、上記のようにして、付勢切替機構部６（付勢用バネ５）が段差部１０ｃ１下に配設されることで、コネクタ挿抜具１が組み付けられている。
【００３０】
次に、このような構成のコネクタ挿抜具１の使用方法や作用などについて説明する。ここでは、通信機器３００のポート２００に接続されている通信線１００ａを抜き取る場合について、主として説明する。
【００３１】
まず、付勢切替機構部６の押圧部６ｂがアーム２、３の後端部２ｃ１、３ｃ１と対向するように、付勢切替機構部６を回転させるとともに、挟持部２ａ、３ａを開いた状態で、アーム２、３をガイド孔１０ｂに沿って段差部１０ｃ１側に後退させる。この状態で、図３に示すように、ケース１０のガイド部１０ｄをポート２００の外面に嵌合させ、その後、アーム２、３をガイド孔１０ｂに沿ってポート２００側に前進させる。
【００３２】
次に、アーム２、３の操作部２ｃ、３ｃを近づけることで、図４、５に示すように、第１の挟持部２ａと第２の挟持部３ａとでコネクタ１００を挟持する。続いて、コネクタ１００を挟持した状態で、図７に示すように、アーム２、３をガイド孔１０ｂに沿ってＦ１方向に後退させる。これにより、コネクタ１００がポート２００から抜かれ、通信線１００ａが瞬断する。そして、この瞬断により、通信線１００ａが引き抜き対象の回線であるか否かを確認する。このとき、図８に示すように、アーム２、３によって付勢用バネ５が圧縮された状態となっている。その後、素早く、アーム２、３の後退（把持）を解除すると、アーム２、３が付勢用バネ５によってガイド部１０ｄ側に瞬時に移動し、コネクタ１００が再度ポート２００に装着される。
【００３３】
このような回線瞬断確認を行った後に、コネクタ１００をポート２００から完全に引き抜く。すなわち、まず、付勢切替機構部６を９０度回転させて、図９、１０に示すように、各付勢用バネ５がアーム２、３の後端部２ｃ１、３ｃ１に接触しないようにする。つまり、アーム２、３に対して付勢用バネ５を非連動とし、アーム２、３にかかる付勢力を解除する。この状態で、上記と同様にして、アーム２、３の挟持部２ａ、３ａでコネクタ１００を挟持し、アーム２、３を後退させることで、コネクタ１００を完全に引き抜く。このとき、図１０に示すように、アーム２、３はＦ２方向に自由に移動可能で、しかもコネクタ１００側への付勢力がないため、操作部２ｃ、３ｃの把持を緩めても、コネクタ１００が再装着されることはない。
【００３４】
以上のように、このコネクタ挿抜具１によれば、アーム２、３の挟持部２ａ、３ａでコネクタ１００を挟持し、アーム２、３を後退させて手を離すだけで、回線瞬断確認を容易かつ迅速に行うことが可能となる。このため、コネクタ１００が密集している場合であっても、対象外の通信線１００ａに曲げなどによる悪影響を与えることなく、通信回線の瞬断確認作業および抜き差しを行うことができる。また、付勢切替機構部６が設けられているため、コネクタ１００をポート２００から完全に引き抜く際に、付勢力を解除することができ、コネクタ１００の引き抜き作業が容易となる。しかも、付勢切替機構部６を回転させるだけで付勢力が付加、解除されるため、切り替え作業が容易である。
【００３５】
以上、この発明の実施の形態を詳述してきたが、具体的な構成は上記の実施の形態に限られるものではなく、この発明の要旨を逸脱しない範囲の設計の変更等があっても、この発明に含まれる。例えば、コネクタ１００を確実に挟持するために、アーム２、３の挟持部２ａ、３ａに滑り止めとなるゴム部材を備えてもよい。また、上記の実施の形態では、コネクタ１００を完全に引き抜く際に、付勢切替機構部６を回転させて付勢力を解除しているが、付勢切替機構部６を備えずに、付勢用バネ５による付勢力が付加された状態で、アーム２、３をケース１０ごと後退させるようにしてもよい。また、ストッパ８によって、アーム２、３の移動を一時的に規制するようにしてもよい。
【符号の説明】
【００３６】
１                コネクタ挿抜具
２                第１のアーム
２ａ              第１の挟持部
２ｄ              操作レバー
３                第２のアーム
３ａ              第２の挟持部
３ｄ              操作レバー
４                挟持用バネ（挟持手段）
５                付勢用バネ（付勢手段）
６                付勢切替機構部
６ａ              回転部
７                連結軸
８                ストッパ
１０              ケース
１０ａ            回転軸
１０ｂ            ガイド孔
１０ｄ            ガイド部
１００            コネクタ
２００            ポート
３００            機器（通信機器）
【図１】
2011141342.tif 000003
【図２】
2011141342.tif 000004
【図３】
2011141342.tif 000005
【図４】
2011141342.tif 000006
【図５】
2011141342.tif 000007
【図６】
2011141342.tif 000008
【図７】
2011141342.tif 000009
【図８】
2011141342.tif 000010
【図９】
2011141342.tif 000011
【図１０】
2011141342.tif 000012
【図１１】
2011141342.tif 000013